(57)【要約】【課題】ＬＣＤ１１５へモノクロ画像を表示する場合に、画質の低下を抑えつつ、簡易な構成とすることができる複合機１を提供する。【解決手段】  複合機１は、所定の画像データを表示するＬＣＤ１１５と、原稿からカラー多値画像データを読み取るＣＣＤ１００と、ＣＣＤ１００が読み取ったカラー多値画像データを記憶するページメモリ１０３と、ページメモリ１０３が記憶したカラー多値画像データをモノクロ２値画像データに変換するモノクロ２値画像処理部１０４と、ページメモリ１０３が記憶したカラー多値画像データをモノクロ多値画像データに変換する色空間変換処理部１０７と、変換されたモノクロ２値画像データを出力するプリンタ１１８及びモデム１１６と、変換されたモノクロ多値画像データをＬＣＤ１１５に表示制御するＬＣＤコントローラ１１４と、を備える。【選択図】図１
2008294606.tif 000002
【特許請求の範囲】
【請求項１】
所定の画像データを表示する表示手段と、
原稿からカラー多値画像データを読み取る画像読取手段と、
前記画像読取手段が読み取ったカラー多値画像データを記憶する読取画像記憶手段と、
前記読取画像記憶手段が記憶したカラー多値画像データに基いて、モノクロ２値画像データを生成するモノクロ２値生成手段と、
前記モノクロ２値生成手段により生成されたモノクロ２値画像データを出力する出力手段と、
前記読取画像記憶手段が記憶したカラー多値画像データに基いて、モノクロ多値画像データを生成するモノクロ多値生成手段と、
前記モノクロ多値生成手段により生成されたモノクロ多値画像データのデータ量を縮小する縮小手段と、
前記縮小手段により縮小されたモノクロ多値画像データを前記表示手段に表示制御する制御手段と、を備えることを特徴とする画像処理装置。
【請求項２】
前記カラー多値画像データはＲＧＢ表色系の画像データであって、
前記モノクロ多値生成手段は前記カラー多値画像データからＹＣｒＣｂ表色系のカラー多値画像データを生成するとともに、生成された当該カラー多値画像データの色差成分を固定値に置き換えて、モノクロ多値画像データを生成することを特徴とする請求項１に記載の画像処理装置。
【請求項３】
前記画像読取手段が読み取った１のカラー多値画像データに対して、前記モノクロ２値生成手段が生成したモノクロ２値画像データと、前記モノクロ多値生成手段が生成し、前記縮小手段により縮小されたモノクロ多値画像データと、を相互に関連付けて記憶する生成画像記憶手段と、
所定の選択を受け付ける受付手段と、を更に備え、
前記受付手段は、前記表示手段が表示した複数のモノクロ多値画像データから出力する画像の選択を受け付け、
前記出力手段は、前記受付手段が出力する選択を受け付けたモノクロ多値画像データと関連付けて、前記生成画像記憶手段に記憶されているモノクロ２値画像データを出力することを特徴とする請求項１又は請求項２に記載の画像処理装置。
【発明の詳細な説明】
【技術分野】
【０００１】
本発明は、画像処理装置に関し、詳しくは、原稿を読み取ってモノクロ２値の画像データを出力するとともに、ＬＣＤ（liquid crystal monitor）等の表示装置にサムネイル表示する画像処理装置に関する。
【背景技術】
【０００２】
画像処理装置はスキャナ等の読取装置の高度化により、原稿をカラー多値の画像データとして読み取ることができるものが多い。一方、複写、ファクシミリ送信、プリントアウト等の処理においては、トナー又はインク等の記録材の節約、通信速度を速める為、又通信規格上の制約等によりモノクロ２値で出力する場合が多い。
【０００３】
近年、画像処理装置は、ＬＣＤ等のディスプレイを備え、ファクシミリ送信又は印刷等する前に当該ディスプレイに原稿のプレビューを表示するものが多数実施されている。このような画像処理装置において、モノクロのファクシミリ送信又はモノクロ複写が行われるときには、スキャンしたカラー画像をモノクロ２値画像に変換するなど、ファクシミリ送信又は印刷等の処理に適した画像形式の出力用画像データを生成して処理を行う。そして、ディスプレイに原稿のプレビューを表示する場合においては、このモノクロ２値の出力用画像データを表示するものがあった（特許文献１）。また、このモノクロ２値の出力用画像データを、更に、モノクロ多値の画像データに変換して表示するものもあった。
【０００４】
しかし、モノクロ２値の出力用画像データをディスプレイに表示する場合又はモノクロ２値の出力用画像データを更にモノクロ多値の画像データに変換してディスプレイに表示する場合には、原稿に比べて画質が著しく低下し、出力しようとする画像を十分に確認できない問題があった。また、モノクロ２値画像をモノクロ多値画像に変換する場合には処理が複雑なものとなり易く、この処理を行うための新たな回路又はモジュールを必要とする場合が多い。そこで、モノクロ２値の出力用画像とは別に、スキャンしたカラー画像を記憶しておきディスプレイに表示する発明が提案されている（特許文献２）。
【特許文献１】特開２００７−７４５４０号公報
【特許文献２】特開２００６−２１７５４５号公報
【発明の開示】
【発明が解決しようとする課題】
【０００５】
しかし、モノクロの画像データをファクシミリ送信する場合又はモノクロ複写する場合に、実際にファクシミリ送信する画像又は印刷する画像と異なるカラー画像データを原稿のプレビュー表示として用いると、実際には送信又は印刷されない色彩情報が含まれることとなるので、送信される画像がイメージしにくい。
【０００６】
本発明は、カラー多値で読み取った画像データをディスプレイ等の表示手段へモノクロ画像として表示する場合に、画質の低下を抑え、且つ、簡易な構成とすることができる画像処理装置を提供することを目的とする。
【課題を解決するための手段】
【０００７】
上記目的を達成するために、請求項１に記載の画像処理装置は、所定の画像データを表示する表示手段と、原稿からカラー多値画像データを読み取る画像読取手段と、前記画像読取手段が読み取ったカラー多値画像データを記憶する読取画像記憶手段と、前記読取画像記憶手段が記憶したカラー多値画像データに基いて、モノクロ２値画像データを生成するモノクロ２値生成手段と、前記モノクロ２値生成手段により生成されたモノクロ２値画像データを出力する出力手段と、前記読取画像記憶手段が記憶したカラー多値画像データに基いて、モノクロ多値画像データを生成するモノクロ多値生成手段と、前記モノクロ多値生成手段により生成されたモノクロ多値画像データのデータ量を縮小する縮小手段と、前記縮小手段により縮小されたモノクロ多値画像データを前記表示手段に表示制御する制御手段と、を備えることを特徴としている。
【０００８】
なお、ここで、「モノクロ多値画像データのデータ量を縮小」とは、モノクロ多値画像データの画素数を減少させることをいう。
【０００９】
請求項２に記載の画像処理装置は、請求項１に記載の画像処理装置であって、前記カラー多値画像データはＲＧＢ表色系のデータであって、前記モノクロ多値生成手段は前記カラー多値画像データをＹＣｒＣｂ表色系のデータに変換するとともに、変換された前記カラー多値画像データの色差成分を固定値に置き換えて、モノクロ多値画像データを生成することを特徴としている。
【００１０】
請求項３に記載の画像処理装置は、請求項１又は請求項２に記載の画像処理装置であって、前記画像読取手段が読み取った１のカラー多値画像データに対して、前記モノクロ２値生成手段が生成したモノクロ２値画像データと、前記モノクロ多値生成手段が生成し、前記縮小手段により縮小されたモノクロ多値画像データと、を相互に関連付けて記憶する生成画像記憶手段と、所定の選択を受け付ける受付手段と、を更に備え、前記受付手段は、前記表示手段が表示したモノクロ多値画像データから出力する画像の選択を受け付け、前記出力手段は、前記受付手段が出力する選択を受け付けたモノクロ多値画像データと関連付けて、前記生成画像記憶手段に記憶されているモノクロ２値画像データを出力することを特徴としている。
【発明の効果】
【００１１】
本発明の請求項１によると、表示手段により所定の画像データは表示される。そして、画像読取手段により原稿からカラー多値画像データは読み取られる。画像読取手段により読み取られたカラー多値画像データは、読取画像記憶手段により記憶される。そして、読取画像記憶手段により記憶されたカラー多値画像データに基いて、モノクロ２値生成手段によりモノクロ２値画像データは生成される。生成されたモノクロ２値画像データは出力手段により出力される。また、読取画像記憶手段により記憶されたカラー多値画像データに基いて、モノクロ多値生成手段によりモノクロ多値画像データは生成され、縮小手段によりデータ量が縮小される。そして、縮小されたモノクロ多値画像データは、制御手段により表示手段に表示制御される。
【００１２】
したがって、印刷又はファクシミリ送信などのようにモノクロ２値の画像を出力する処理を実行する際に、画像処理装置のディスプレイ等の表示手段に画像を表示するときに、読取手段が読み取ったカラー多値画像データに基いて、生成したモノクロ多値画像を表示できる。これにより、表示手段にモノクロ２値の画像を表示する場合及び、モノクロ２値の画像データを多値変換した画像を表示する場合に比べて、明瞭な画像を表示することができる。特に、縮小手段によりデータ量を縮小した画像データを表示する場合に、モノクロ２値の画像データ及びモノクロ２値を多値化した画像データに比べて、明瞭に表示することができるので、サムネイル表示などに好適に用いることができる。
【００１３】
本願の請求項２に記載の発明によると、画像読取手段により原稿から読み取られるカラー多値画像データはＲＧＢ表色系のデータである。そして、モノクロ多値生成手段により、ＲＧＢ表色系のカラー多値画像データからＹＣｒＣｂ表色系の画像データが生成され、色差成分であるＣｒ及びＣｂの値を固定値に置き換えることで、モノクロ多値画像データが生成される。このように、ＹＣｒＣｂ表色系のカラー多値画像データをモノクロ化することができるので、モノクロ多値画像データをＪＰＥＧ形式に符号化することができる。また、ＹＣｒＣｂ表色系の画像データの色差成分であるＣｒ及びＣｂの値を固定値に置き換える処理を行わない他は同様の処理を行うことで、ＹＣｒＣｂ表色系のカラー多値画像データを生成することができる。このように、ほとんど同じ処理で、表示手段に表示できるカラー多値画像データとモノクロ多値画像データとを生成することができる。したがって、表示手段に表示するカラー多値画像データの生成に用いるパスをモノクロ多値画像データの生成にも共用することができる。
【００１４】
本願の請求項３に記載の発明によると、生成画像記憶手段により、画像読取手段が読み取った１のカラー多値画像データからモノクロ２値生成手段により生成されたモノクロ２値画像データと、モノクロ多値生成手段により生成され縮小手段により縮小されたモノクロ多値画像データと、が相互に関連付けて記憶される。そして、受付手段により、表示手段が表示した複数のモノクロ多値画像データから出力する画像の選択は受け付けられる。そして出力手段により、選択を受け付けたモノクロ多値画像データと関連付けて生成画像記憶手段に記憶されているモノクロ２値画像データは出力される。このように、表示されているモノクロ多値画像データを選択することで、モノクロ２値画像データを出力することができる。
【発明を実施するための最良の形態】
【００１５】
以下、本発明に係る画像処理装置の一例として複合機１について説明する。複合機１は、ＣＣＤ（Charge Coupled Device）１００、Ａ／Ｄコンバータ１０１、メモリコントローラ１０２、ページメモリ１０３、モノクロ画像処理部１０４、符号化処理部（ＭＨ／ＭＲ／ＭＭＲ／ＪＢＩＧ）１０５、カラー画像処理部１０６、色空間変換処理部１０７、符号化処理部（ＪＰＥＧ）１０８、符号化メモリ１０９、メモリコントローラ１１０、復号化処理部（ＪＰＥＧ）１１１、色空間変換処理部１１２、ＬＣＤ ＶＲＡＭ(Liquid Crystal Display Video Random Access Memory)１１３、ＬＣＤコントローラ１１４、ＬＣＤ１１５、モデム１１６、符号化処理部１１７、及びプリンタ１１８を備えている。なお、複合機１には、自装置の動作を制御する図示しないＣＰＵ（Central Processing Unit）、インターネットファクシミリ通信の入出力に用いられる図示しないＬＡＮ−Ｉ／Ｆ（Local Area Network-interface）等も備えており、印刷処理、複写処理、ファクシミリ通信処理、インターネットファクシミリ通信（Ｉ−Ｆａｘ）処理、スキャン処理等を、それぞれカラー及びモノクロのいずれでも実現可能である。また、各処理において画像データの出力が行われる前に、プレビュー画像を表示することができるものである。
【００１６】
ＣＣＤ１００は、図示しないフラット・ベッド・スキャナ（ＦＢＳ：Flat Bed Scanner）に内蔵されており、透明な原稿載置板に載置された原稿をＲＧＢ形式のカラー多値画像データとして読み取るものである。そして、ＣＣＤ１００が原稿を読み取って得たカラー多値画像データは、Ａ／Ｄコンバータ１０１を介して、メモリコントローラ１０２によりページメモリ１０３に記憶される。なお、メモリコントローラ１０２はページメモリ１０３に記憶された画像データを読み出す処理も行う。このとき、メモリコントローラ１０２は、ページメモリ１０３に記憶されたＲＧＢ表色系の画像データの中から、Ｇ成分を抽出して読み出すことで、画像データをモノクロ化する処理を行うこともできる。
【００１７】
モノクロ画像処理部１０４は、メモリコントローラ１０２によりモノクロ化された画像データを、例えば誤差拡散処理によって２値化する２値化処理部１０４ａと、設定された条件に応じて画像データを拡大又は縮小する拡大／縮小処理部１０４ｂと、を有する。そして、符号化処理部１０５は、モノクロ画像処理部１０４で２値化された画像データをＭＨ（modified Huffman）／ＭＲ（modified read）／ＭＭＲ（Modified Modified Read）／ＪＢＩＧ（Joint Bi-lebel Image experts Group）等の形式に符号化するものである。
【００１８】
カラー画像処理部１０６は、ページメモリ１１８に記憶されメモリコントローラ１０２により読み出されたカラー多値画像データを、予め定められた条件にしたがって拡大又は縮小する処理を行うものである。色空間変換処理部１０７は、カラー画像処理部１０６で、拡大又は縮小された画像データをＲＢＧ表色系からＹＣｒＣｂ表色系に色空間変換する処理を行うものである。そして、符号化処理部１０８は、色空間変換処理部１０７でＹＣｒＣｂ表色系に色空間変換された画像データをＪＰＥＧ（Joint Photographic Experts Group）形式に符号化する処理を行うものである。
【００１９】
符号化メモリ１０９は、符号化処理部１０５、１０８で符号化された画像データを記憶するものである。符号化メモリ１０９に記憶された画像データは、メモリコントローラ１１０により読み出され、表示及び出力に用いられる。
【００２０】
復号化処理部１１１は、符号化メモリ１０９に記憶され、メモリコントローラ１１０により読み出されたＪＰＥＧ形式の画像データを復号化する処理を行うものである。また、色空間変換処理部１１２は、復号化処理部１１１で復号化された画像データをＹＣｒＣｂ表色系からＲＧＢ表色系に色空間変換するものである。色空間変換処理部１１２で変換された画像データは、ＬＣＤ  ＶＲＡＭ１１３に記憶されて、ＬＣＤＣ１１４によりＬＣＤ１１５に表示制御される。ＬＣＤ１１５は、タッチパネル式のオペレーションパネルであり、カラー多値画像データ及びモノクロ多値画像データを表示できると共に、表示された画像データの中から画像の選択を受け付けることができる。
【００２１】
モデム１１６は、例えばＩＴＵ−Ｔ（国際電気通信連合電気通信標準化部門）勧告のＶ．３４方式、Ｖ．２７ｔｅｒ方式、Ｖ．２９方式、Ｖ．１７方式等の方式、又はこれと同様のものに従った送受信データの変調及び復調を行うものである。このモデム１１６は、メモリコントローラ１１０により符号化メモリから読み出されたＭＨ／ＭＲ／ＭＭＲ／ＪＢＩＧ形式の画像データを、図示しないＮＣＵ（Network Control Unit）及びＰＳＴＮ（公衆電話回線網）を介して、他のファクシミリ装置等にファクシミリ送信するものである。
【００２２】
復号化処理部１１７は、符号化メモリ１０９に記憶され、メモリコントローラ１１０により読み出された例えばＪＢＩＧ形式の画像データを復号化する処理を行うものである。そして、プリンタ１１８は、複号化処理部１１７で複号化された画像データを印刷出力するものである。このプリンタ１１０は少なくともモノクロ２値の画像データを印刷出力可能なものである。
【００２３】
次に、ＣＣＤ１００により読み取られたカラー多値画像データをモノクロデータとしてファクシミリ送信する場合又はモノクロ画像として印刷出力する場合であって、ＬＣＤ１１５にモノクロ多値画像を表示する場合の複合機１の動作について説明する。
【００２４】
まず、ＣＣＤ１００を用いて図示しないフラット・ベット・スキャナの原稿載置台に載置されている原稿から画像データを読み取る。なお、原稿の読み取りは、これに限られず原稿トレイに載置された原稿を自動原稿給送装置（ＡＤＦ：Automatic Document Feeder）により搬送して、ＣＣＤ１００を用いて読み取る方式であってもよい。このとき読み取られる画像データはＲＧＢ方式のカラー多値画像データである。そして、次に、このカラー多値画像データを、Ａ／Ｄコンバータ１０１によりアナログデータからデジタルデータに変換して、メモリコントローラ１０２によりページメモリ１０３に記憶させる。
【００２５】
そして、メモリコントローラ１０２は、ページメモリ１０３に記憶されたＲＧＢ表色系の画像データからＧ成分を抽出して、モノクロ多値画像データとして読み出し、モノクロ画像処理部に入力するとともに、ページメモリに記憶されたＲＧＢ表色系の画像データをカラー多値画像データとして読出し、カラー画像処理部１０６に入力する。次に、モノクロ画像処理部１０４では、メモリコントローラにより入力されたモノクロ多値画像データを、２値化処理部１０４ａにおいて、例えば誤差拡散処理により２値化して、モノクロ２値画像データを生成する。そして、生成されたモノクロ２値画像データを、拡大／縮小処理部１０４ｂにおいて、予め設定されたコピー倍率等の条件に従って、拡大又は縮小する処理を行う。
【００２６】
モノクロ画像処理部１０４により生成されたモノクロ２値画像データは、次に符号化処理部１０５で出力処理の内容に応じて、ＭＨ、ＭＲ、ＭＭＲ、ＪＢＩＧ等の形式に符号化され、符号化された画像データは、出力用の画像データとして符号化メモリ１０９に記憶される。
【００２７】
一方、カラー画像処理部１０６では、メモリコントローラ１１７により読み出されたカラー多値画像データに対して、拡大／縮小処理部１０６ａにおいて画素数を減らす処理を行う。具体的には、サムネイルとしてＬＣＤ１１４に表示するサイズまで縮小する処理を行う。そして、カラー画像処理部１０６で縮小したカラー多値画像データを、色空間変換処理部１０７において、ＲＧＢ表色系からＹＣｒＣｂ表色系に色空間変換し、変換した画像データのＣｒ及びＣｂの色差成分の値を固定値（例えばゼロ）に置き換えて、モノクロ多値画像データを生成する処理を行う。生成されたモノクロ多値画像データは、符号化処理部１０８においてＪＰＥＧ形式に符号化され、表示用の画像データとして符号化メモリ１０９に記憶される。なお、出力用の画像データと、表示用の画像データとは、相互に関連付けられて符号化メモリ１０９に記憶される。
【００２８】
符号化メモリ１０９に記憶された画像データのうち、表示用のＪＰＥＧ形式のモノクロ多値画像データは、符号化メモリ１０９用のメモリコントローラ１１０により読み出され、復号化処理部１１１で復号化される。そして、復号化されたモノクロ多値画像データは、色空間変換処理部１１２でＹＣｒＣｂ表色系からＲＧＢ表色系に色空間変換されて、ＶＲＡＭ１１３に記憶される。そして、ＶＲＡＭ１１３に記憶されたモノクロ多値画像データは、ＬＣＤコントローラ１１４により、ＬＣＤ１１５にサムネイルとして表示される。
【００２９】
ＬＣＤ１１５にモノクロ多値画像がサムネイルとして表示されると、ＬＣＤ１１５のタッチパネルに複合機１の操作者の指等を接触されることで、ＬＣＤ１１５は、表示されているモノクロ多値画像の選択を受け付けることができる。このようにしてＬＣＤ１１５が、モノクロ多値画像データの選択を受け付けると、次に、メモリコントローラ１１０が、選択されたモノクロ多値画像データに関連付けて符号化メモリ１０９に記憶されている出力用のモノクロ２値画像データを読み出す。
【００３０】
そして、出力処理の内容がファクシミリ送信処理であれば、読み出された出力用のモノクロ２値画像データを、モデム１１６及び図示しないＮＣＵを用いて、他のファクシミリ装置等にファクシミリ送信する。また、出力処理の内容が複写処理であれば、読み出された出力用のモノクロ２値画像データを復号化処理部１１７において復号化する処理を行い、プリンタ１１８により記録紙にモノクロ２値画像として印刷する処理を行う。
【００３１】
以上のように本実施形態の複合機１では、ＣＣＤ１００が読み取って生成したカラー多値画像データから、出力用のモノクロ２値画像データを生成する処理と表示用のモノクロ多値画像データを生成する処理とが並行して実行され、符号化メモリ１０９に出力用の画像データと表示用の画像データとがそれぞれ関連付けられて記憶される。
【００３２】
このように、ＣＣＤ１００が読み取ったカラー多値画像データから、出力用のモノクロ２値画像データと表示用のモノクロ多値画像データとをそれぞれ生成して符号化メモリ１０９に記憶させることで、カラー多値画像データから出力用のモノクロ２値画像データのみを生成して出力及び表示の両方に用いるものに比べて、ＬＣＤ１１５への表示が極めて明瞭なものとなる。また、出力用のモノクロ２値画像データをモノクロ多値画像データに変換する場合には、複雑な処理を行う必要があり、専用の回路などの新たなモジュールを組み込む必要があるが、本実施形態の複合機１は２値画像データを多値化する必要が無いので、簡単な構成のものとすることができ、画像データの変換のために新たなモジュールを組み込む必要が無い。
【００３３】
なお、本実施形態のＬＣＤ１１５には、モノクロ画像データのみならずカラー画像データを表示することもできる。次に、ＣＣＤ１００により読み取られたカラー多値画像データをＬＣＤ１１５にカラー多値画像として表示する場合の複合機１の動作について説明する。
【００３４】
まず、ＣＣＤ１００を用いて、原稿からＲＧＢ表色系のカラー多値画像データを読み取る。そして、このカラー多値画像データを、Ａ／Ｄコンバータ１０１によりアナログデータからデジタルデータに変換して、メモリコントローラ１０２によりページメモリ１０３に記憶させる。次に、ページメモリ１０３に記憶されたカラー多値画像データを、メモリコントローラ１０２により読み出し、カラー画像処理部１０６に入力する。
【００３５】
カラー画像処理部１０６では、メモリコントローラ１１７により読み出されたカラー多値画像データに対して、拡大／縮小処理部１０６ａにおいて画素数を減らす処理を行う。具体的には、サムネイルとしてＬＣＤ１１４に表示するサイズまで縮小する処理を行う。そして、カラー画像処理部１０６で縮小したカラー多値画像データを、色空間変換処理部１０７において、ＲＧＢ表色系からＹＣｒＣｂ表色系に色空間変換する。符号化処理部１０８においてＪＰＥＧ形式に符号化され、表示用の画像データとして符号化メモリ１０９に記憶される。
【００３６】
符号化メモリ１０９に記憶された表示用のＪＰＥＧ形式のカラー多値画像データは、符号化メモリ１０９用のメモリコントローラ１１０により読み出され、復号化処理部１１１で復号化される。そして、復号化されたカラー多値画像データは、色空間変換処理部１１２でＹＣｒＣｂ表色系からＲＧＢ表色系に色空間変換されて、ＶＲＡＭ１１３に記憶される。そして、ＶＲＡＭ１１３に記憶されたカラー多値画像データは、ＬＣＤコントローラ１１４により、ＬＣＤ１１５にサムネイルとして表示される。
【００３７】
以上のように、ＬＣＤ１１５にカラー多値画像データを表示する場合、及びモノクロ多値画像データを表示する場合に共に、カラー画像処理部１０６、色空間変換処理部１０７、及び符号化処理部１０８を用いることができる。したがって、それぞれの処理に異なるモジュールや回路を必要としないので、安価且つ簡単な構成とすることができる。
【００３８】
次に、以上のように行われるＣＣＤ１００が読み取ったカラー多値画像をモノクロ２値画像として出力する処理の一例としてのモノクロファクシミリ送信処理について図２を参照しつつ説明する。モノクロファクシミリ送信処理では、まず、図示しないＣＰＵは、図示しないフラット・ベッド・スキャナの原稿載置台に載置された原稿、又は原稿トレイに載置された原稿を、ＣＣＤ１００を制御してＲＧＢ表色系のカラー多値画像データとして読み取る処理を行う（Ｓ２００）。そして、読み取ったカラー多値画像データを、Ａ／Ｄコンバータ１０１を介してデジタル化し、入力補正等を行った後、メモリコントローラ１０２により、ページメモリ１０３に記憶させる（Ｓ２０２）。
【００３９】
ページメモリ１０３に記憶させると、次に、ステップＳ２０３からステップＳ２０６までの処理と、ステップＳ２０７からステップＳ２１０までの処理とを並列的に実行する。ステップＳ２０３では、ページメモリに記憶されたＲＧＢ表色系のカラー多値画像データからＧ成分を抽出して読み出す処理を行う。これにより、モノクロ多値画像データが生成される。そして次に、モノクロ画像処理部１０４において、例えば誤差拡散処理等により画像データを２値化するとともに、予め設定されたファクシミリ送信の条件に従って、拡大又は縮小する処理を行う（Ｓ２０４）。そして次に、生成されたモノクロ２値画像データを、符号化処理部１０５によりＭＨ、ＭＲ、ＭＭＲ、ＪＢＩＧ形式に符号化する処理を行う（Ｓ２０６）。
【００４０】
一方、ステップＳ２０７では、ＣＰＵは、メモリコントローラ１０２を制御して、ページメモリ１０３に記憶されているカラー多値画像データを読み出す。そして、カラー画像処理部１０６を制御して、サムネイルとしてＬＣＤ１１５に表示するサイズまで画素数を減少させて縮小を行う（Ｓ２０８）。そして次に、縮小したカラー多値画像データを、色空間変換処理部１０７により、ＲＧＢ表色系からＹＣｒＣｂ表色系に色空間変換し、変換した画像データのＣｒ及びＣｂの色差成分の値を固定値（例えばゼロ）に置き換えて、モノクロ多値画像データを生成する（Ｓ２０９）。そして、次にＣＰＵは、符号化処理部１０８を制御して、ステップＳ２０９で生成したモノクロ多値画像データを、ＪＰＥＧ形式に符号化する処理を行う（Ｓ２１０）。
【００４１】
以上の処理を実行すると、次に、ＣＰＵは、メモリコントローラ１１０を制御して、ステップＳ２０６において、ＭＨ、ＭＲ、ＭＭＲ、ＪＢＩＧ形式に符号化した出力用のモノクロ２値画像データと、ステップＳ２１０において、ＪＰＥＧ形式に符号化した表示用のモノクロ多値画像データと、を相互に関連付けて、符号化メモリ１０９に記憶する処理を行う（Ｓ２１２）。
【００４２】
そして、ＣＰＵは、次に、復号化処理部１１１を制御して、ステップＳ２１０においてＪＰＥＧ形式に符号化した表示用のモノクロ多値画像データを復号化し、ＹＣｒＣｂ表色系からＲＧＢ表色系に色空間変換して、ＬＣＤ１１５にサムネイルとして表示する（Ｓ２１４）。このとき、ＬＣＤ１１５には、複数の表示用のモノクロ多値画像データを配列して表示することができる。そして、ＬＣＤ１１５のタッチパネルが、ＬＣＤ１１５に複数表示されたモノクロ多値画像データの中から、ファクシミリ送信すべき画像データの選択を受け付けたか否か判断する（Ｓ２１６）。ＬＣＤ１１５は、タッチパネル式のものであるので、ＬＣＤ１１５の画面のモノクロ多値画像データが表示されている領域を複合機１の操作者が触れる等するとＬＣＤ１１５はそれを感知し、ＣＰＵは、画像データの選択を受け付けたと判断する（Ｓ２１６：ＹＥＳ）。
【００４３】
ファクシミリ送信すべき画像データの選択を受け付けたと判断すると（Ｓ２１６：ＹＥＳ）、選択されたモノクロ多値画像データに関連付けられて、符号化メモリ１０９に記憶されている出力用のＭＨ，ＭＲ、ＭＭＲ、ＪＢＩＧ形式に符号化されたモノクロ２値画像データを、メモリコントローラ１１０により読み出し、モデム１１６を制御してファクシミリ送信を行う（Ｓ２１８）。一方、ファクシミリ送信すべき画像データの選択を受け付けていないと判断すると（Ｓ２１６：ＮＯ）、ＣＰＵは、選択を受け付けるまで待機する。
【００４４】
なお、図２においては、モノクロファクシミリ送信処理を例に説明したが、例えばモノクロ複写処理においても同様の処理が行われる。また、スキャンｔｏフォルダ処理及びインターネットファクシミリ送信処理等の処理においても、出力用の画像データが２値の画像データである場合には、同様に処理することができ、モノクロ多値画像データを表示制御することで、より明瞭にＬＣＤ１１５に画像を表示することができる。
【００４５】
また、本実施形態においては、ステップＳ２０３からステップＳ２０６までの処理と、ステップＳ２０７からステップＳ２１０までの処理と、を並列的に処理するものとしたが、いずれか一方の処理を先に行い、他方の処理を後に行う構成であってもよい。
【００４６】
また、本実施形態においては、印刷又はファクシミリ送信等の出力が行われる前に操作者が出力する画像を確認するためのプレビューとしてサムネイル表示する場合を説明したが、印刷又はファクシミリ送信等の出力が行われた後に、履歴としてＬＣＤ１１４に表示して操作者が画像を確認するものである場合にも同様に、モノクロ多値画像データを表示制御することで、より明瞭にＬＣＤ１１４に画像を表示することができる。
【００４７】
本発明の実施の形態は上述の形態に限ることなく、本発明の思想の範囲を逸脱しない範囲で適宜変更することができる。
【００４８】
以上のように、複合機１は、モノクロ複写処理及びファクシミリ送信処理のようにモノクロ２値の画像データを印刷又は送信等する処理において、ＣＣＤ１００が読み取ったカラー多値画像データを、印刷又は送信等に用いられるモノクロ２値画像データに変換する他に、ＬＣＤ１１５への表示用のモノクロ多値データに変換する処理を行う。このように、カラー多値画像データからモノクロ多値画像データに変換する処理は、モノクロ２値画像データからモノクロ多値画像データに変換する処理に比べて処理を簡易なものとすることができる。また、専用の回路などのモジュールを必要としないので、複合機１のコストを抑制することができる。
【００４９】
そして、多値画像データを表示可能なＬＣＤ１１５に、プレビューとして表示する画像は、ＣＣＤ１００が読み取ったカラー多値画像データをモノクロ多値に変換した画像データであるので、一旦モノクロ２値への変換を介した場合に比べて画質が劣化しにくく、より明瞭な画像を表示することができる。特にプレビュー画像は、実際に印刷又はファクシミリ送信等で出力するものよりも縮小された画像である場合が多く、このような場合に、画質が劣化した画像データであると、十分に出力する画像が確認できない場合が多いので、劣化していないカラー多値画像をプレビューとしてＬＣＤ１１５に表示することで、より明瞭な画像データで明確に画像を確認することができる。
【産業上の利用可能性】
【００５０】
本発明は、例えば、モノクロ画像データを複写処理、及び／又はファクシミリ送信処理が可能な複合機１に適用可能である。
【図面の簡単な説明】
【００５１】
【図１】ＣＣＤ１００が原稿から読み取って生成した画像データに対して出力処理が実行される処理動作について示すブロック図である。
【図２】モノクロファクシミリ送信処理のルーチンを示すフローチャートである。
【符号の説明】
【００５２】
１        複合機（画像処理装置）
１００    ＣＣＤ（画像読取手段）
１０３    ページメモリ（読取画像記憶手段）
１０４    モノクロ画像処理部（モノクロ２値生成手段）
１０６    カラー画像処理部
１０６ａ  拡大／縮小処理部（縮小手段）
１０７    色空間変換処理部（モノクロ多値生成手段）
１０９    符号化メモリ（生成画像記憶手段）
１１４    ＬＣＤコントローラ（制御手段）
１１５    ＬＣＤ（表示手段、受付手段）
１１６    モデム（出力手段）
１１８    プリンタ（出力手段）
【図１】
2008294606.tif 000003
【図２】
2008294606.tif 000004